【手続補正書】
【提出日】平成19年1月26日(2007.1.26)
【手続補正１】
【補正対象書類名】明細書
【補正対象項目名】特許請求の範囲
【補正方法】変更
【補正の内容】
【特許請求の範囲】
【請求項１】
印刷用紙の搬送方向に間隔をおいて配置された複数の印刷ドラムと、
上記複数の印刷ドラムに連結され、該複数の印刷ドラムを連結回転駆動する複数の回転部材と、を有し、
上記印刷ドラムの１周期における上記複数の回転部材の回転数がそれぞれ上記印刷ドラムの回転数の整数倍であり、上流の印刷ドラムと下流の印刷ドラムの連動回転期間中のうち、下流の印刷ドラムへの印刷用紙の進入時点での同期回転ずれが無いように上記複数の印刷ドラムと上記複数の回転部材が設けられていることを特徴とする印刷装置。
【請求項２】
請求項１記載の印刷装置において、
上記複数の回転部材がギアを含むことを特徴とする印刷装置。
【請求項３】
請求項１記載の印刷装置において、
上記回転部材のうちの一つが上記印刷ドラム間に掛け渡されたタイミングベルトであることを特徴とする印刷装置。
【請求項４】
請求項３記載の印刷装置において、
上記タイミングベルトの１周期と上記印刷ドラムの１周期が同じであることを特徴とする印刷装置。
【請求項５】
印刷用紙の搬送方向に間隔をおいて配置された複数の印刷ドラムと、該印刷ドラムに設けられた歯付きのドラム駆動プーリと、複数の印刷ドラムを連結駆動可能に上記ドラム駆動プーリ間に掛け渡されたタイミングベルトと、印刷ドラム間で上記タイミングベルトに噛み合う調整用プーリを備え該調整用プーリを変位させて印刷ドラム間の位相を調整するドラム間位相調整手段を有する印刷装置において、
上記調整用プーリの歯数が上記ドラム駆動プーリの歯数の１／整数に設定されていることを特徴とする印刷装置。
【請求項６】
請求項５記載の印刷装置において、
上記ドラム駆動プーリと調整用プーリ間に位置固定され上記タイミングベルトの裏面に当接して該タイミングベルトを偏向させる偏向プーリを有し、該偏向プーリのピッチ円直径が上記ドラム駆動プーリのピッチ円直径の１／整数に設定されていることを特徴とする印刷装置。
【請求項７】
印刷用紙の搬送方向に間隔をおいて配置された複数の印刷ドラムと、該印刷ドラムに設けられた歯付きのドラム駆動プーリと、複数の印刷ドラムを連結駆動可能に上記ドラム駆動プーリ間に掛け渡されたタイミングベルトと、印刷ドラム間で上記タイミングベルトに噛み合う調整用プーリを備え該調整用プーリを変位させて印刷ドラム間の位相を調整するドラム間位相調整手段と、上記ドラム駆動プーリと調整用プーリ間に位置固定され上記タイミングベルトの裏面に当接して該タイミングベルトを偏向させる偏向プーリを有する印刷装置において、
上記偏向プーリのピッチ円直径が上記ドラム駆動プーリのピッチ円直径の１／整数に設定されていることを特徴とする印刷装置。
【請求項８】
印刷用紙の搬送方向に間隔をおいて配置された複数の印刷ドラムと、該印刷ドラムに設けられた歯付きのドラム駆動プーリと、複数の印刷ドラムを連結駆動可能に上記ドラム駆動プーリ間に掛け渡されたタイミングベルトと、印刷ドラム間で上記タイミングベルトの裏面に当接する調整用プーリを備え該調整用プーリを変位させて印刷ドラム間の位相を調整するドラム間位相調整手段を有する印刷装置において、
上記調整用プーリのピッチ円直径が上記ドラム駆動プーリのピッチ円直径の１／整数に設定されていることを特徴とする印刷装置。
【請求項９】
請求項８記載の印刷装置において、
上記ドラム駆動プーリと調整用プーリ間に位置固定され上記タイミングベルトに噛み合って該タイミングベルトを偏向させる偏向プーリを有し、該偏向プーリの歯数が上記ドラム駆動プーリの歯数の１／整数に設定されていることを特徴とする印刷装置。
【請求項１０】
印刷用紙の搬送方向に間隔をおいて配置された複数の印刷ドラムと、該印刷ドラムに設けられた歯付きのドラム駆動プーリと、複数の印刷ドラムを連結駆動可能に上記ドラム駆動プーリ間に掛け渡されたタイミングベルトと、印刷ドラム間で上記タイミングベルトの裏面に当接する調整用プーリを備え該調整用プーリを変位させて印刷ドラム間の位相を調整するドラム間位相調整手段と、上記ドラム駆動プーリと調整用プーリ間に位置固定され上記タイミングベルトに噛み合って該タイミングベルトを偏向させる偏向プーリを有する印刷装置において、
上記偏向プーリの歯数が上記ドラム駆動プーリの歯数の１／整数に設定されていることを特徴とする印刷装置。
【手続補正２】
【補正対象書類名】明細書
【補正対象項目名】００１９
【補正方法】変更
【補正の内容】
【００１９】
具体的には、請求項１記載の発明では、印刷用紙の搬送方向に間隔をおいて配置された複数の印刷ドラムと、上記複数の印刷ドラムに連結され、該複数の印刷ドラムを連結回転駆動する複数の回転部材と、を有し、上記印刷ドラムの１周期における上記複数の回転部材の回転数がそれぞれ上記印刷ドラムの回転数の整数倍であり、上流の印刷ドラムと下流の印刷ドラムの連動回転期間中のうち、下流の印刷ドラムへの印刷用紙の進入時点での同期回転ずれが無いように上記複数の印刷ドラムと上記複数の回転部材が設けられている、という構成を採っている。
【手続補正３】
【補正対象書類名】明細書
【補正対象項目名】００２０
【補正方法】変更
【補正の内容】
【００２０】
請求項２記載の発明では、請求項１記載の構成において、上記複数の回転部材がギアを含む、という構成を採っている。
【手続補正４】
【補正対象書類名】明細書
【補正対象項目名】００２１
【補正方法】変更
【補正の内容】
【００２１】
請求項３記載の発明では、請求項１記載の構成において、上記回転部材のうちの一つが上記印刷ドラム間に掛け渡されたタイミングベルトである、という構成を採っている。
【手続補正５】
【補正対象書類名】明細書
【補正対象項目名】００３７
【補正方法】変更
【補正の内容】
【００３７】
上記構成の下、本実施例においては、上記各回転部材の１周期が印刷ドラム８，１０の１周期と同じかそれ以下であり、且つ、印刷ドラム８，１０の１周期における上記各回転部材の回転数が印刷ドラム８，１０の回転数の整数倍となるように設定されている（請求項１）。
例えば、ドラム駆動ギア（２２０，２２２）の歯数：中継ギヤ（２２６，２３０）の歯数＝４：１、タイミングプーリ（２２４，２２８）の歯数：調整用プーリ（４０，４２）の歯数＝１：１、タイミングプーリ（２２４，２２８）の歯数：タイミングベルト２３２の歯数＝１：４、すなわち、印刷ドラム８，１０が１回転でタイミングベルト２３２も１回転する（請求項３，４）。タイミングプーリ（２２４，２２８）のピッチ円直径：偏向プーリ４４のピッチ円直径＝１：１と設定するものである。
このように歯数等の比を全て整数比とすると、印刷ドラム８，１０の１周期において、上記各回転部材の回転数は印刷ドラム８，１０の整数倍となる。これにより印刷ドラム８，１０間の位相ずれ（同期回転ずれ）は生じず、オフセットゴーストの発生を防止することができる。
【手続補正６】
【補正対象書類名】明細書
【補正対象項目名】００４２
【補正方法】変更
【補正の内容】
【００４２】
次に、図５に基づいてギア連結駆動方式の実施例（請求項２）を説明する。なお、上記実施例と同一部分は同じ符号で示し、特に必要がない限り重複説明は省略する。
本実施例におけるドラム間位相調整手段７０は、ドラム駆動ギア２２２に噛み合うギア７２と、ギア７２の回転軸に回動自在に支持された扇形状ギア７４と、扇形状ギア７４のギア部７４ａに噛み合う駆動ギア７６と、駆動ギア７６を回転駆動する位相調整用モータ７８と、扇形状ギア７４の本体部に支持されギア７２に噛み合う小径ギア８０と、一端部をドラム駆動ギア２２０の回転軸に支持されて回動自在に設けられたアーム８２と、アーム８２の他端部に回転自在に支持されドラム駆動ギア２２０と小径ギア８０に噛み合う小径ギア８４と、小径ギア８０と小径ギア８４を連結するアーム８６を有している。
位相調整用モータ７８の回転により扇形状ギア７４が矢印Ｌ又はＲ方向に変位し、これにより印刷ドラム８と印刷ドラム１０間の色ずれが調整される。